(57)【要約】【課題】フィクスチャーが外部へ露出するのを防止する。【解決手段】歯科用インプラントが固定される歯槽骨１００の外側を覆うように配置される被覆部材６０の内側に再生骨１０２を形成するための歯科用骨造成部材１を、歯槽骨１００に埋入された状態のフィクスチャー５０における口腔側の部分であるフィクスチャー基部５２に取り付けられ、フィクスチャー基部５２から口腔側へ延びるように設けられるスペーサ部２と、被覆部材６０をスペーサ部２の延出端側の部分に対して固定する固定部１０と、を備えたものとする。再生骨１０２におけるスペーサ部２の外側の部分によって、フィクスチャー基部５２から口腔側に延びる壁部１０３が形成される。【選択図】図２
2015027319.tif 000002
【特許請求の範囲】
【請求項１】
歯科用インプラントが固定される歯槽骨の外側を覆うように配置される被覆部材の内側に再生骨を形成するための歯科用骨造成部材であって、
前記歯槽骨に埋入された状態の前記歯科用インプラントのフィクスチャーにおける口腔側の部分であるフィクスチャー基部、に取り付けられ、該フィクスチャー基部から口腔側へ延びるように設けられるスペーサ部と、
前記被覆部材を前記スペーサ部の延出端側の部分に対して固定する固定部と、
を備え、
前記再生骨における前記スペーサ部の外側の部分によって、前記フィクスチャー基部から口腔側に延びる壁部が形成されることを特徴とする、歯科用骨造成部材。
【請求項２】
請求項１に記載の歯科用骨造成部材において、
前記スペーサ部は、前記フィクスチャーに形成された雌ネジ部と螺合する雄ネジ部を有することを特徴とする、歯科用骨造成部材。
【請求項３】
請求項１又は請求項２に記載の歯科用骨造成部材において、
前記スペーサ部としてのスペーサ部材と、
前記スペーサ部材とは別体に形成され、前記スペーサ部材との間で前記被覆部材を挟んで固定する前記固定部としての固定部材と、
を備えていることを特徴とする、歯科用骨造成部材。
【請求項４】
請求項３に記載の歯科用骨造成部材において、
前記固定部材は、前記スペーサ部材に対して螺合するように形成されていることを特徴とする、歯科用骨造成部材。
【請求項５】
請求項４に記載の歯科用骨造成部材において、
前記スペーサ部材には、雌ネジ部が形成され、
前記固定部材には、前記スペーサ部材の雌ネジ部に螺合する雄ネジ部が形成されていることを特徴とする、歯科用骨造成部材。
【請求項６】
請求項５に記載の歯科用骨造成部材において、
前記スペーサ部材は、円筒状に形成されるとともに前記フィクスチャーと螺合した状態における該スペーサ部材の口腔側の部分として設けられ、口腔側の端面が前記固定部材との間で前記被覆部材を挟んで保持する円筒部、を有していることを特徴とする、歯科用骨造成部材。
【発明の詳細な説明】
【技術分野】
【０００１】
本発明は、人工歯根が固定される歯槽骨の骨量を補うために、該歯槽骨周辺に再生骨を形成するための歯科用骨造成部材に関する。
【背景技術】
【０００２】
従来より、歯科用インプラントのフィクスチャー（人工歯根）を埋設する歯槽骨の骨量が少ない患者に対して骨再生誘導療法（guided bone regeneration method、GBR法）を適用して再生骨を形成することが知られている。これにより、フィクスチャーを埋入するのに十分な骨量を確保することができる。例えば、特許文献１には、植設体（フィクスチャー）を保持するとともに欠損部付近の歯槽骨に取り付けられる枠材と、枠材で囲まれた欠損部に充填される骨再生材と、枠材を覆う膜材とが開示されている。この構成によれば、骨再生材が固まって骨が再生された後、枠材及び膜材を除去することにより、フィクスチャーを、再生骨に埋設させた状態にすることができる。
【先行技術文献】
【特許文献】
【０００３】
【特許文献１】特許２８９５４５７号
【発明の概要】
【発明が解決しようとする課題】
【０００４】
ところで、上記特許文献１によって再生骨に埋設された状態のフィクスチャーは、再生骨における比較的浅い位置に埋設された状態となっている。この場合、フィクスチャーにアバットメントが固定された後であっても、例えば再生骨が再び衰退して欠損した場合、フィクスチャーが外部に露出してしまうおそれがある。
【０００５】
本発明は、上記課題を解決するためのものであり、その目的は、フィクスチャーが外部へ露出するのを防止することである。
【課題を解決するための手段】
【０００６】
（１）上記目的を達成するための本発明のある局面に係る歯科用骨造成部材は、歯科用インプラントが固定される歯槽骨の外側を覆うように配置される被覆部材の内側に再生骨を形成するための歯科用骨造成部材であって、前記歯槽骨に埋入された前記歯科用インプラントのフィクスチャーにおける口腔側の部分であるフィクスチャー基部、に取り付けられ、該フィクスチャー基部から口腔側へ延びるように設けられるスペーサ部と、前記被覆部材を前記スペーサ部の延出端側の部分に対して固定する固定部と、を備え、前記再生骨における前記スペーサ部の外側の部分によって、前記フィクスチャー基部から口腔側に延びる壁部が形成される。
【０００７】
この構成では、歯槽骨に埋入されたフィクスチャーのフィクスチャー基部にスペーサ部が取り付けられ、該スペーサ部の延出端側（口腔側、フィクスチャーの埋入方向と反対側）の部分に、被覆部材が固定される。そして、上記被覆部材の内側に再生骨が形成される。これにより、フィクスチャーの周囲を歯槽骨及び再生骨によって囲むことができるため、歯槽骨及び再生骨でフィクスチャーを十分に支えることができる。
【０００８】
そして、この構成では、再生骨によって、スペーサ部の外側の部分に、フィクスチャー基部側から口腔側へ延びるように壁部が形成される。この壁部により、フィクスチャー基部を十分に覆うことができる。これにより、フィクスチャーが外部へ露出してしまうのを防止できる。
【０００９】
従って、上述の構成によれば、フィクスチャーが外部へ露出するのを防止できる。
【００１０】
（２）好ましくは、前記スペーサ部は、前記フィクスチャーに形成された雌ネジ部と螺合する雄ネジ部を有する。
【００１１】
この構成では、スペーサ部を、フィクスチャーに対して容易に脱着することができる。
【００１２】
（３）好ましくは、前記歯科用骨造成部材は、前記スペーサ部としてのスペーサ部材と、前記スペーサ部材とは別体に形成され、前記スペーサ部材との間で前記被覆部材を挟んで固定する前記固定部としての固定部材と、を備えている。
【００１３】
この構成では、スペーサ部材における所定の位置に被覆部材を配置した状態で、該被覆部材をスペーサ部材と固定部材とで挟んで保持することにより、被覆部材をスペーサ部材に対して固定することができる。
【００１４】
（４）更に好ましくは、前記固定部材は、前記スペーサ部材に対して螺合するように形成されている。
【００１５】
この構成では、固定部材をスペーサ部材に対して螺合することにより、該スペーサ部材に対して被覆部材を容易に固定することができる。
【００１６】
（５）更に好ましくは、前記スペーサ部材には、雌ネジ部が形成され、前記固定部材には、前記スペーサ部材の雌ネジ部に螺合する雄ネジ部が形成されている。
【００１７】
この構成では、スペーサ部材に形成された雌ネジ部に対して、固定部材に形成された雄ネジ部を螺合することにより、スペーサ部材に対して被覆部材を容易に固定することができる。
【００１８】
（６）更に好ましくは、前記スペーサ部材は、円筒状に形成されるとともに前記フィクスチャーと螺合した状態における該スペーサ部材の口腔側の部分として設けられ、口腔側の端面が前記固定部材との間で前記被覆部材を挟んで保持する円筒部、を有している。
【００１９】
この構成では、円筒部の端面に被覆部材を配置した状態で、該被覆部材をスペーサ部材と固定部材とで挟んで保持することにより、被覆部材における比較的広範囲に亘る部分を挟んで保持できる。従って、被覆部材をスペーサ部材に対して確実に固定できる。
【発明の効果】
【００２０】
本発明によると、フィクスチャーが外部へ露出するのを防止できる。
【図面の簡単な説明】
【００２１】
【図１】本発明の実施形態に係る歯科用骨造成部材の縦断面図である。
【図２】図１に示す歯科用骨造成部材の使用態様の一例を示す図であって、歯科用骨造成部材について正面図で示した図である。
【図３】図１に示す歯科用骨造成部材の使用態様の一例を示す図であって、歯科用骨造成部材について縦断面図で示した図である。
【図４】図１に示す歯科用骨造成部材で再生骨が形成された後に、フィクスチャーにアバットメントが取り付けられた状態を示す縦断面図である。
【図５】（Ａ）は、変形例に係る歯科用骨造成部材の使用態様の一例を示す図であり、（Ｂ）は、（Ａ）の破線部分の拡大図である。
【発明を実施するための形態】
【００２２】
以下、本発明を実施するための形態について図面を参照しつつ説明する。本発明は、人工歯根が固定される歯槽骨の骨量を補うために、該歯槽骨周辺に再生骨を形成するための歯科用骨造成部材に広く適用できる。
【００２３】
［歯科用骨造成部材の構成］
図１は、本発明の実施形態に係る歯科用骨造成部材１の縦断面図である。歯科用骨造成部材１は、フィクスチャーを埋設する歯槽骨の骨量が少ない患者に対して、所望の位置及び形状に再生骨を形成するために用いられる部材である。歯科用骨造成部材１は、歯槽骨に対して固定されたフィクスチャーに取り付けられ、歯槽骨及び該歯科用骨造成部材１の周囲に再生骨を形成した後、フィクスチャーから取り外される。これにより、フィクスチャー周辺の所望の位置に、所望の形状の再生骨を形成することができる。
【００２４】
図１に示すように、歯科用骨造成部材１は、スペーサ部材２と、固定部材１０と、を備えている。なお、各図において、説明の便宜上、上と記載された矢印が指示する方向を上側又は上方と称し、下と記載された矢印が指示する方向を下側又は下方と称する。各図における上側は、歯科用インプラントが取り付けられる患者の口腔側に相当し、各図における下側は、フィクスチャーの埋入方向に相当する。
【００２５】
スペーサ部材２は、軸部３と頭部６とを有し、これらが一体に形成されている。
【００２６】
軸部３は、上下方向に延びるように設けられた円柱状の第１軸部４と、第１軸部４の下面から下方へ延びる第２軸部５とを有し、これらが一体に形成されている。第１軸部４は、第２軸部５よりも径が大きくなるように形成されている。第１軸部４及び第２軸部５は、互いに同軸となるように形成されている。第１軸部４と第２軸部５との間には、両者４，５をなだらかに繋ぐテーパー部が設けられている。第２軸部５の外周面における上側の部分には、雄ネジ部５ａが形成されている。この雄ネジ部５ａは、詳しくは後述するフィクスチャー５０に形成された雌ネジ部５３に螺合する。
【００２７】
頭部６は、第１軸部４の上面と一体に形成されている基部７と、基部７から上方へ延びるように形成されている円筒部８とを有し、これらが一体に形成されている。基部７は、上下方向に所定の厚みを有する円板状の部分として設けられている。円筒部８は、基部７の外周縁部から上方へ延びるように形成されている。円筒部８の上端面は、平坦状に形成された平坦部８ａとして設けられている。また、円筒部８の内周面には、スペーサ部材２をフィクスチャー５０に対して締め込むための六角穴８ｂが形成されている。
【００２８】
また、スペーサ部材２には、上方から視た基部７の中央部分に、該基部７から第１軸部４の上側の部分まで延びるネジ孔２ａが形成されている。ネジ孔２ａの内周面には、雌ネジ部２ｂが形成されている。この雌ネジ部２ｂには、詳しくは後述する固定部材１０の雄ネジ部１３ａが螺合する。
【００２９】
固定部材１０は、図１における上から下へ向かって順に、頭部１１、首部１２、及びネジ部１３を有し、これらが一体に形成されている。固定部材１０は、ネジ部１３の外周面に形成された雄ネジ部１３ａが、スペーサ部材２の雌ネジ部２ｂに螺合することにより、スペーサ部材２に対して固定される。
【００３０】
頭部１１は、上下方向に扁平に形成されている。頭部１１の上面は、上方に向かってやや膨出する球面部１１ａとして設けられ、頭部１１の下面は、平坦状に形成された平坦部１１ｂとして設けられている。上方から視た球面部１１ａの中央部分には、固定部材１０をスペーサ部材２に対して締め込むための六角穴１１ｃが形成されている。この六角穴１１ｃは、スペーサ部材２に形成された六角穴８ｂと同じ形状及び大きさとなるように形成されている。これにより、フィクスチャー５０に対するスペーサ部材２の締め込みと、スペーサ部材２に対する固定部材１０の締め込みとを、同じビットの器具で行うことができる。
【００３１】
首部１２は、頭部１１の下面における中央部分から下方へ延びるように形成されている。より詳しくは、首部１２は、頭部１１の下面における中央部分から下方へやや延びる円柱状の部分と、当該円柱状の部分の下面から下方へ窄まりながら延びる円錐台状の部分とで構成されている。首部１２は、固定部材１０がスペーサ部材２に対して螺合された状態において、円筒部８の上側の部分に収容される。
【００３２】
ネジ部１３は、首部１２の下端面から下方へ延びるように形成されている。ネジ部１３の外周面には、スペーサ部材２の雌ネジ部２ｂに螺合する雄ネジ部１３ａが形成されている。
【００３３】
［歯科用骨造成部材の使用方法］
図２及び図３は、歯科用骨造成部材１の使用形態の一例を示す模式図である。また、図４は、歯科用骨造成部材１を用いて再生骨が形成された後、フィクスチャー５０にアバットメント５５及び人工歯５６が取り付けられた状態を示す図である。図２から図４を参照して、歯科用骨造成部材１の使用方法について説明する。本実施形態に係る歯科用骨造成部材１は、歯科用インプラントの取り付け対象となる部分の歯槽骨１００が歯周病等により欠損してしまい、歯槽骨１００の骨量が少なくなってしまった患者に対して用いられる。
【００３４】
まず、術者は、歯科用インプラントの取り付け対象となる部分の歯槽骨１００にフィクスチャー５０を固定する。具体的には、術者は、フィクスチャー５０の先端側に形成されたフィクスチャーネジ部５１を歯槽骨１００における所望の位置に螺合することにより、フィクスチャー５０を歯槽骨１００に固定する。なお、この段階では、フィクスチャー５０の一部（上端面）が、患者の歯槽骨１００から外部へ露出した状態となっている。
【００３５】
次に、術者は、スペーサ部材２の雄ネジ部５ａを、フィクスチャー５０に形成された雌ネジ部５３に螺合することにより、スペーサ部材２をフィクスチャー５０のフィクスチャー基部５２側に固定する。これにより、スペーサ部材２は、フィクスチャー基部５２から患者の口腔側へ延びるように設けられる。
【００３６】
次に、術者は、歯槽骨１００の欠損部、及びスペーサ部材２の外周部分に、骨再生材１０１を補填し、骨再生材１０１が、上記欠損部及びスペーサ部材２の外周部分を覆うように配置される被覆部材６０の内側に満たされた状態とする。このとき、被覆部材６０は、図１から図３を参照して、上側の部分が、スペーサ部材２の平坦部８ａと固定部材１０の平坦部１１ｂとの間で挟まれて保持されるとともに、下側の部分が、締結ピン６１によって歯槽骨１００に固定される。その後、被覆部材６０が歯肉１０４によって覆われる。所定期間（例えば数か月程度）経過後、骨再生材１０１が充填された箇所には、再生骨１０２が形成される。特に、スペーサ部材２の外周側の部分には、再生骨１０２によって、フィクスチャー５０の上端面から上方へ延びるように、壁部１０３が形成される。
【００３７】
なお、骨再生材１０１は、人工骨、自家骨、或いはこれらを混合させたもの等で構成されている。また、被覆部材６０は、例えば一例として、メッシュ状に形成されたチタン製の膜部材、樹脂繊維で構成された膜部材、等で構成されている。また、骨再生材１０１を用いずに再生骨１０２を形成することもできる。具体的には、歯槽骨１００の欠損部を骨再生誘導材で充填した後、被覆部材６０で覆い、又は、欠損部に何も充填せず、空洞状態の欠損部を被覆部材６０で覆う。これにより、所定期間経過後、被覆部材６０の内側に、再生骨１０２が形成される。
【００３８】
上述のように再生骨１０２が形成された後、術者は、固定部材１０、締結ピン６１、被覆部材６０、スペーサ部材２、を取り外す。そして、術者は、スペーサ部材２が取り外された部分に、図４に示すように、アバットメント５５及び人工歯５６を取り付けて固定する。
【００３９】
ところで、従来から行われているＧＢＲ法においては、上述した特許文献１に開示されるように、フィクスチャーを骨再生材に埋設させ、骨が再生された後に当該フィクスチャーにアバットメントが取り付けられる状態としている。しかし、この場合、フィクスチャーが再生骨における比較的浅い位置に埋設された状態となっているため、例えば、再度歯槽骨１００や再生骨１０２が衰退して欠損すると、フィクスチャーが簡単に外部に露出してしまう。
【００４０】
これに対して、本実施形態に係る歯科用骨造成部材１を上述のように用いれば、再生骨１０２が形成された状態において、当該再生骨１０２によって、フィクスチャー５０の上端部よりも更に上方へ延びる壁部１０３が形成される。このような壁部１０３を形成することで、フィクスチャー５０が外部へ露出してしまうことを防止できる。
【００４１】
［効果］
以上のように、本実施形態に係る歯科用骨造成部材１では、再生骨１０２が形成された状態において、当該再生骨１０２によって、フィクスチャー５０の上端部よりも更に上方（患者の口腔側）へ延びる壁部１０３を形成することができる。このような壁部１０３を形成することで、フィクスチャー５０が外部へ露出してしまうことを防止できる。
【００４２】
従って、歯科用骨造成部材１によれば、フィクスチャーが外部へ露出するのを防止できる。
【００４３】
また、歯科用骨造成部材１では、スペーサ部材２に、フィクスチャー５０の雌ネジ部５３と螺合する雄ネジ部５ａを設けているため、スペーサ部材２を、フィクスチャー５０に対して容易に脱着できる。
【００４４】
また、歯科用骨造成部材１では、スペーサ部材２における平坦部８ａに被覆部材６０
を配置した状態で、該被覆部材６０をスペーサ部材２と固定部材１０とで挟んで保持することにより、被覆部材６０をスペーサ部材２に対して固定することができる。
【００４５】
また、歯科用骨造成部材１では、固定部材１０をスペーサ部材２に対して螺合することにより、該スペーサ部材２に対して被覆部材６０を容易に固定することができる。
【００４６】
また、歯科用骨造成部材１では、スペーサ部材２に形成された雌ネジ部２ｂに対して、固定部材１０に形成された雄ネジ部１３ａを螺合することにより、スペーサ部材２に対して被覆部材６０を容易に固定することができる。
【００４７】
また、歯科用骨造成部材１では、スペーサ部材２の円筒部８の平坦部８ａに被覆部材６０を配置した状態で、該被覆部材６０をスペーサ部材２と固定部材１０とで挟んで保持することにより、被覆部材６０における比較的広範囲に亘る部分を挟んで保持できる。従って、被覆部材６０をスペーサ部材２に対して確実に固定できる。
【００４８】
また、歯科用骨造成部材１では、スペーサ部材２の平坦部８ａと固定部材１０の平坦部１１ｂとで被覆部材６０を挟んで保持しているため、被覆部材６０においてより広範囲に亘る部分が挟んで保持される。これにより、被覆部材６０をスペーサ部材２に対してより確実に固定できる。
【００４９】
以上、本発明の実施形態について説明したが、本発明は上述の実施の形態に限られるものではなく、特許請求の範囲に記載した限りにおいて様々な変更が可能である。例えば、次のように変更して実施してもよい。
【００５０】
［変形例］
（１）図５は、変形例に係る歯科用骨造成部材１ａの使用態様の一例を示す縦断面図である。本変形例に係る歯科用骨造成部材１ａは、上記実施形態とは一部の形状が異なるスペーサ部材２０によって構成されている。すなわち、歯科用骨造成部材１ａは、ネジ状に形成された固定部材１０が省略された構成となっている。
【００５１】
本変形例に係るスペーサ部材２０は、上記実施形態に係るスペーサ部材２と概ね同じ形状である。しかし、本変形例に係るスペーサ部材２０は、上記実施形態に係るスペーサ部材２の円筒部８に相当する部分が、円柱状に形成された円柱部９で構成されている。そして、当該円柱部９の上面には、上方に突出する突出部９ａが形成されている。この突出部９ａは、被覆部材６０をスペーサ部材２０の延出端側の部分（図５における上側の部分）に対して固定する固定部として設けられている。
【００５２】
［歯科用骨造成部材の使用方法］
術者は、上記実施形態に係る歯科用骨造成部材１の場合と同様、歯科用インプラントの取り付け対象となる部分の歯槽骨１００にフィクスチャー５０を固定する。
【００５３】
次に、術者は、歯槽骨１００の欠損部、及びスペーサ部材２０の外周部分に、骨再生材１０１を補填し、骨再生材１０１が、上記欠損部及びスペーサ部材２の外周部分を覆うように配置される被覆部材６０の内側に満たされた状態とする。このとき、被覆部材６０は、上側の部分が、該被覆部材６０に形成された貫通孔６０ａにスペーサ部材２の突出部９ａが嵌まり込むことにより、スペーサ部材２に対して保持される。一方、下側の部分は、締結ピン６１によって歯槽骨１００に固定される。その後、所定期間（例えば数か月程度）が経過して再生骨１０２が形成された後、締結ピン６１、被覆部材６０、スペーサ部材２、が取り外され、スペーサ部材２が取り外された部分に、上記実施形態の場合と同様、アバットメント５５及び人工歯５６が固定される。
【産業上の利用可能性】
【００５４】
本発明は、人工歯根が固定される歯槽骨の骨量を補うために、該歯槽骨周辺に再生骨を形成するための歯科用骨造成部材として、広く適用することができる。
【符号の説明】
【００５５】
１，１ａ        歯科用骨造成部材
２，２０        スペーサ部材（スペーサ部）
９ａ            突出部（固定部）
１０            固定部材（固定部）
５０            フィクスチャー
５２            フィクスチャー基部
６０            被覆部材
１００          歯槽骨
１０１          骨再生材
１０２          再生骨
１０３          壁部
【図１】
2015027319.tif 000003
【図２】
2015027319.tif 000004
【図３】
2015027319.tif 000005
【図４】
2015027319.tif 000006
【図５】
2015027319.tif 000007